(57)【要約】 【課題】  電子機器が所期機能を発揮できるようなチルト機構および電子機器駆動機構を提供する。【解決手段】  ディスプレイ１１を傾動可能なチルト機構であるディスプレイ駆動機構１０において、ディスプレイ駆動機構１０に搭載されるディスプレイ１１を、所定位置から一方向に傾動駆動可能で、かつ所定位置から他方向に傾動駆動可能に構成する。【選択図】      図１
2006276769.tif 000002
【特許請求の範囲】
【請求項１】
電子機器を傾動駆動可能なチルト機構であって、
前記チルト機構に搭載すべき前記電子機器を、所定位置から一方向に傾動駆動可能で、かつ前記所定位置から他方向に傾動駆動可能に構成されることを特徴とするチルト機構。
【請求項２】
電子機器を傾動駆動可能な電子機器駆動機構であって、
前記電子機器を支持する支持体と、
前記支持体に支持すべき電子機器を、所定位置から一方向に傾動駆動可能で、かつ前記所定位置から他方向に傾動駆動可能な駆動源とを有することを特徴とする電子機器駆動機構。
【請求項３】
前記電子機器は複数の係合部を備え、
前記支持体には、これら係合部を摺動可能に支持する被係合部が形成されることを特徴とする請求項２に記載の電子機器駆動機構。
【請求項４】
前記支持体は第１および第２支持部材を含み、これら第１および第２支持部材は、それぞれ被係合部が形成され、前記第１および第２支持部材の少なくともいずれか一方の被係合部に、前記複数の係合部が支持可能に構成されることを特徴とする請求項３に記載の電子機器駆動機構。
【請求項５】
前記駆動源は、前記第１支持部材に対し前記第２支持部材を相対的に変位させ、前記電子機器を傾動駆動し得るギヤ機構を含むことを特徴とする請求項４に記載の電子機器駆動機構。
【請求項６】
電子機器を傾動可能なチルト機構であって、
前記電子機器と回動可能に係合されるとともに、スライド移動する第１および第２スライド部材と、
前記電子機器の傾動動作を案内する案内機構とを備え、
前記第１スライド部材が移動したときには、前記第２スライド部材と前記電子機器との係合が解けて、前記電子機器における前記第２スライド部材側が前記案内機構に案内されて移動し、
前記第２スライド部材が移動したときには、前記第１スライド部材と前記電子機器との係合が解けて、前記電子機器における前記第１スライド部材側が前記案内機構に案内されて移動することを特徴とするチルト機構。
【請求項７】
電子機器を傾動駆動可能なチルト機構であって、
前記電子機器は、前記第１および第２スライド部材が回動可能に係合される回動軸を備え、
前記案内機構は、前記回動軸が摺動移動する案内溝を含むことを特徴とする請求項６記載のチルト機構。
【発明の詳細な説明】
【技術分野】
【０００１】
本発明は、電子機器を傾動駆動可能なチルト機構および電子機器駆動機構に関する。
【背景技術】
【０００２】
電子機器を傾動させるチルト機構が実用に供されている。図１５は、従来の技術の電子機器駆動機構１を示す断面図である。電子機器駆動機構１は、チルト機構であって、一対の支持部材２と電子機器３の一端部とが連結され、駆動手段４によって前記一対の支持部材２を往復運動させることによって、電子機器３を所定位置から一方向に傾動させることができる（たとえば特許文献１参照）。
【０００３】
【特許文献１】特開平１０−５１７１２号公報（第４−６頁、第１図）
【発明の開示】
【発明が解決しようとする課題】
【０００４】
従来の技術の電子機器駆動機構１は、電子機器３を一方向に傾動可能に構成され、電子機器３を傾動することによって、電子機器３の機能性を向上させる。電子機器駆動機構１は、一方向にだけ電子機器３を傾動可能であるので、傾動可能な範囲が小さい。それ故、電子機器３が所期機能を満足することができない場合がある。たとえば、電子機器駆動機構１は、車載用ディスプレイのチルト機構に適用する場合、電子機器３であるディスプレイを利用者のアイポイントに対応させるべく、電子機器駆動機構１を前方上り傾斜状に傾斜させて配置する。このようにして配置すると、電子機器３で太陽光の反射および空などの景色が映り込みが発生する。このような状態で電子機器３を傾動させても、多くの場合、反射光および映り込みが悪化し電子機器３に表示される画像の視認性が悪い。
【０００５】
また電子機器駆動機構１には、コンパクトディスク（Compact Disk：略称ＣＤ）およびデジタル多機能ディスク（Digital Versatile Disc；略称：ＤＶＤ）などの記録媒体を再生可能な再生装置５が搭載される場合がある。このような再生装置５に記録媒体を出し入れする場合、電子機器３を傾動させて再生装置５の図示しない記録媒体の挿入排出口を露出させ記録媒体を出し入れする。このようにして記録媒体を出し入れをする場合、電子機器３が一方向だけに傾動するので、利用者のアイポイントによっては電子機器３によって視界が遮られ、挿入排出口などを視認することが困難となる。これによって記録媒体の出し入れが困難となる。換言すれば、他の電子機器の操作性が悪化する。このように所定位置から一方向だけに傾動可能である場合、電子機器３の所期機能を満足することができない。
【０００６】
本発明の目的は、電子機器が所期機能を発揮できるようなチルト機構および電子機器駆動機構を提供することである。
【課題を解決するための手段】
【０００７】
本発明は、電子機器を傾動駆動可能なチルト機構であって、
前記チルト機構に搭載すべき前記電子機器を、所定位置から一方向に傾動駆動可能で、かつ前記所定位置から他方向に傾動駆動可能に構成されることを特徴とするチルト機構である。
【０００８】
本発明に従えば、電子機器を所定位置から一方向に傾動可能で、かつ他方向に傾動駆動可能なチルト機構を構成することができる。このようにして前記チルト機構が構成されるので、前記電子機器を所定位置から一方向および他方向に傾動駆動することができる。
【０００９】
また本発明は、電子機器を傾動駆動可能な電子機器駆動機構であって、
前記電子機器を支持する支持体と、
前記支持体に支持すべき電子機器を、所定位置から一方向に傾動駆動可能で、かつ前記所定位置から他方向に傾動駆動可能な駆動源とを有することを特徴とする電子機器駆動機構である。
【００１０】
本発明に従えば、支持体は、電子機器を支持可能に構成される。駆動源は、前記電子機器が所定位置から一方向に傾動可能で、かつ前記所定位置から他方向に傾動駆動可能に構成される。このような構成を有するので、前記駆動源は、前記電子機器が支持される状態で、前記所定位置から一方向および他方向に前記電子機器を傾動駆動することができる。
【００１１】
また本発明は、前記電子機器は複数の係合部を備え、
前記支持体には、これら係合部を摺動可能に支持する被係合部が形成されることを特徴とする。
【００１２】
本発明に従えば、電子機器は、複数の係合部を備える。支持体には、前記係合部を摺動可能に支持する被係合部が形成される。前記電子機器を所定位置から一方向または他方向に傾動駆動する場合、前記支持体の前記被係合部に前記複数の係合部を支持した上でこれら係合部を摺動する。
【００１３】
また本発明は、前記支持体は第１および第２支持部材を含み、これら第１および第２支持部材は、それぞれ被係合部が形成され、前記第１および第２支持部材の少なくともいずれか一方の被係合部に、前記複数の係合部が支持可能に構成されることを特徴とする。
【００１４】
本発明に従えば、支持体には、第１および第２支持部材が含まれる。前記第１および第２支持部材には、被係合部が形成される。複数の係合部は、前記第１および第２支持部材のうちの少なくともいずれか一方の前記被係合部に支持される。これによって支持すべき電子機器の傾動動作を実現し得る。また前記複数の係合部を確実に支持することができる。
【００１５】
また本発明は、前記駆動源は、前記第１支持部材に対し前記第２支持部材を相対的に変位させ、前記電子機器を傾動駆動し得るギヤ機構を含むことを特徴とする。
【００１６】
本発明に従えば、ギヤ機構を含む駆動源によって第１支持部材に対して第２支持部材を相対的に変位させて電子機器を傾動駆動可能する。このように前記電子機器を傾動駆動することができる。
【００１７】
また本発明は、電子機器を傾動可能なチルト機構であって、
前記電子機器と回動可能に係合されるとともに、スライド移動する第１および第２スライド部材と、
前記電子機器の傾動動作を案内する案内機構とを備え、
前記第１スライド部材が移動したときには、前記第２スライド部材と前記電子機器との係合が解けて、前記電子機器における前記第２スライド部材側が前記案内機構に案内されて移動し、
前記第２スライド部材が移動したときには、前記第１スライド部材と前記電子機器との係合が解けて、前記電子機器における前記第１スライド部材側が前記案内機構に案内されて移動することを特徴とするチルト機構である。
【００１８】
また本発明は、電子機器を傾動駆動可能なチルト機構であって、
前記電子機器は、前記第１および第２スライド部材が回動可能に係合される回動軸を備え、
前記案内機構は、前記回動軸が摺動移動する案内溝を含むことを特徴とする。
【発明の効果】
【００１９】
本発明によれば、電子機器を所定位置から一方向に傾動駆動可能で、かつ他方向に傾動駆動可能であるので、従来の技術のように一方向にだけ前記電子機器を傾動可能な場合に比べて、前記電子機器の傾斜可能な角度を大きくすることができる。したがって選択可能な前記電子機器の傾斜角度が増加し、前記電子機器の配置および環境などの条件に応じてより最適な傾斜角度を選択することができる。このように選択可能な傾斜角度が増加するので、たとえば従来の技術のように前記電子機器に太陽光の反射または景色の映り込みが生じ視認性が悪化する場合であっても、前記電子機器を一方向および他方向のいずれかに傾動駆動することによって太陽光の反射および景色の映り込みの不具合を解消することができる。また前記所定位置から一方向に前記電子機器を傾動駆動することによって、他の電子機器の操作性が一時的に悪化する場合には、前記所定位置から他方向に電子機器を傾動駆動して視界を確保するなどし、前記他の電子機器の操作性を良好にすることができる。このように前記所定位置から一方向および他方向に傾動させることによって前記電子機器の所期の機能を満足させることができる。
【００２０】
また本発明によれば、駆動源が支持体によって支持される電子機器を所定位置から一方向に傾動駆動可能で、かつ他方向に傾動駆動可能であるので、従来の技術と異なり他方向にも前記電子機器を傾斜させて支持することができる。これによって一方向だけに傾動可能な場合では満足できなかった前記電子機器の所期の機能を、他方向にも傾動させることによって満足させることができる。換言すると、前記所定位置から他方向にも傾動可能であるので、前記電子機器の傾斜角度を、前記電子機器の所期機能を満足する傾斜角度にすることができる。これによって前記電子機器の所期機能を満足させることができる。
【００２１】
また本発明によれば、複数の係合部が支持体によって支持されるとともに、前記係合部が前記支持体を摺動できるので、電子機器を摺動させることができる。したがって前記支持体によって支持される状態で一方向および他方向に前記電子機器を傾動駆動することができる。このようにして所定位置から一方向に傾動駆動可能で、かつ他方向に傾動駆動可能である電子機器駆動機構を実現することができる。
【００２２】
また本発明によれば、電子機器が傾動駆動しても、第１および第２支持部材によって複数の係合部を確実に支持することができる。このようにして前記複数の係合部が前記支持体の前記被係合部に支持される状態で前記電子機器を一方向および他方向に傾動駆動を実現できる。
【００２３】
また本発明によれば、ギヤ機構を含む駆動源によって電子機器を傾動駆動することを実現することができる。
【００２４】
本発明によれば、第１スライド部材がスライド移動すると、第２スライド部材と電子機器との係合が解ける。さらに第１スライド部材がスライド移動すると、電子機器は、その第２スライド部材側が案内機構に案内されて移動し傾動する。第２スライド部材がスライド移動すると、第１スライド部材と電子機器との係合が解ける。第２スライド部材がスライド移動すると、電子機器は、その第１スライド部材側が案内機構に案内されて移動し傾動する。これによって第１および第２スライド部材の異なる部材によって電子機器を傾動させることができる。それ故、たとえば電子機器を所定位置から一方向および他方向に傾動させる動作を実現できる。このようにこのように前記所定位置から一方向および他方向に傾動させることによって前記電子機器の所期の機能を満足させることができる。
【００２５】
本発明によれば、電子機器は、第１および第２スライド部材が回動可能に係合される回動軸を備える。案内機構には、回動軸を摺動移動する案内溝が含まれる。したがって電子機器と第１および第２スライド部材とが回動可能に係合することを実現でき、電子機器の傾動動作を案内することを実現できる。
【発明を実施するための最良の形態】
【００２６】
図１は、本発明の実施の一形態であるディスプレイ駆動機構１０を概略示す斜視図である。図２は、ディスプレイ駆動機構１０を図１に示す断面線Ａ−Ａで切断して見た断面図である。本実施の形態では、ディスプレイ１１を傾動可能、すなわちチルト可能に構成されるディスプレイ駆動機構１０の一例を示す。
【００２７】
電子機器駆動機構であるディスプレイ駆動機能１０は、たとえば車両に搭載される。ディスプレイ駆動機構１０には、支持体１２と駆動源１３とが含まれる。ディスプレイ駆動機構１０は、いわゆるチルト機構であり、ディスプレイ１１を傾動可能に構成される。ディスプレイ駆動機構１０は、支持体１２によってディスプレイ１１を支持可能に構成される。さらにディスプレイ駆動機構１０は、支持体１２によって支持されるディスプレイ１１を駆動源１３によって傾動駆動可能に構成される。ディスプレイ駆動機構１０は、たとえば車両における幅方向中央に対して幅方向一方向および他方向に略対称に構成されている。以後、ディスプレイ駆動機構１０の幅方向一方の断面図を示し、幅方向他方の断面図を省略する場合がある。
【００２８】
図３は、ディスプレイ１１を示す斜視図である。図４は、ディスプレイ１１を幅方向に見た側面図である。ディスプレイ１１は、略直方体に形成され、その厚み方向に垂直な仮想平面で切断して見た断面が略矩形状に形成される。前記「略直方体」は直方体を含み、前記「略矩形状」は矩形状を含む。ディスプレイ１１には、厚み方向に垂直な一表面部に表示部１４が形成される。またディスプレイ１１のうち前記幅方向に垂直な第１側面部１５および第２側面部１６に、ガイド部１７が形成される。回動軸および係合部であるガイド部１７は、略円柱状に形成される。前記「略円柱状」は円柱状を含む。
【００２９】
第１側面部１５において、一対のガイド部１７が、ディスプレイ１１の高さ方向一端部および他端部に離隔して配設される。これらガイド部１７は、表示部１４が形成される表面部の裏面部寄りに付設されるとともに、各ガイド部１７の中心軸がディスプレイ１１の幅方向と略平行になるように設けられる。前記「略平行」は平行を含む。第２側面部１６において、一対のガイド部１７が、ディスプレイ１１の高さ方向一端部および他端部に離隔して配設される。これらガイド部１７も、前記裏面部寄りに付設されるとともに、各ガイド部の中心軸がディスプレイ１１の幅方向と略平行になるように設けられる。前記「略平行」は平行を含む。
【００３０】
つまりディスプレイ１１の各側面部１５，１６には、ディスプレイ１１の幅方向外方に所定小距離突出するように一対のガイド部１７が形成される。一対のガイド部１７は、ディスプレイ１１の幅方向略中央に対して面対称となるように第１および第２側面部１５，１６に形成される。以下では、第１側面部１５の高さ方向一端部に形成されるガイド部１７を第１ガイド部１７ａと呼び、他端部に形成されるガイド部１７を第２ガイド部１７ｂと呼ぶ場合がある。またガイド部１７には、第２側面部１６の高さ方向一端部に形成されるガイド部１７を第３ガイド部１７ｃと呼び、他端部に形成されるガイド部１７を第３ガイド部１７ｄと呼ぶ場合がある。ただしガイド部１７は、ディスプレイ１１の幅方向に垂直な表面部に設けられるものに限定されず、ディスプレイ１１の高さ方向に垂直な表面部に設けられてもよい。この場合、ガイド部１６は、ディスプレイ１１の幅方向一端部および他端部であって、表示部が形成される表面部の裏面部寄りにガイド部１７の中心軸がディスプレイ１１の高さ方向と略平行になるように各表面部に設けられる。
【００３１】
ガイド部１７には、ガイド軸１８と軸ばね部材１９と軸キャップ部材２０とが含まれる。第１〜第４ガイド部１７ａ，１７ｂ，１７ｃ，１７ｄは、同一構造であるので、第２側面部１６の高さ方向一端部に形成される第３ガイド部１７ｃについてだけ詳細に説明し、その他のガイド部１７ａ，１７ｂ，１７ｄについては同一の符号を付して説明を省略する。
【００３２】
ガイド軸１８は、略円柱状に形成される。ガイド軸１８は、ディスプレイ１１の幅方向に突出するように第２側面部１６の高さ方向一端部であって、表示部が形成される表面部の裏面部寄りに設けられる。またガイド軸１８は、中心軸が前記幅方向と略水平となるように形成される。ガイド軸１８には、該軸ばね部材１９が外装される。この軸ばね部材１９は、圧縮コイルばねによって形成される。軸ばね部材１９は、ばね高さがガイド軸１８の軸方向の高さより大きく形成されるばねによって構成される。さらにガイド軸１８には、軸ばね部材１９およびガイド軸１８を嵌合するように軸キャップ部材２０が設けられる。軸キャップ部材２０は、大略的には、有底略円筒状に形成される。軸キャップ部材２０のうち軸方向一端部には、フランジが形成される。軸キャップ部材２０は、ガイド軸１８および軸ばね部材１９が嵌合する状態で、軸ばね部材１９によって弾性復帰力が付勢され、軸方向に弾性変位可能に構成される。軸キャップ部材２０は、摺動性のよい材料、たとえばポリアセタールによって形成される。ただしこのような材料に限定されない。このようにガイド軸１８に軸ばね部材１９および軸キャップ部材２０を嵌合させることによって、ディスプレイ１１に４つのガイド部１７を設けることができる。
【００３３】
図５は、収納筐体２１を図１に示す断面線Ａ−Ａで切断して見た断面図である。図６は、第１スライド部材３４ａを厚み方向に見た側面図である。図７は、第２スライド部材３４ｂを厚み方向に見た側面図である。図８は、基台２４を示す斜視図である。図１および図２を参照しつつ説明する。
【００３４】
ディスプレイ１１は、４つのガイド部１７が支持体１２によって支持される。支持体１２には、収納筐体２１と一対のディスプレイ支持体２５とが含まれる。第１支持部材である収納筐体２１は、ディスプレイ１１を支持しかつ収納可能に構成される。収納筐体２１は、略格子状に形成される枠体であり、奥行き方向に垂直な仮想平面で切断して見た断面が略矩形状に形成される。このように形成される収納筐体２１において、図１に示すように、収納筐体２１の幅方向をＹ軸方向として矢符Ｙで示し、収納筐体の奥行き方向をＸ軸方向として矢符Ｘで示し、収納筐体の高さ方向をＺ軸方向として矢符Ｚで示す。さらに矢符Ｘに平行な方向をＸ方向と称し、矢符Ｙに平行な方向をＹ方向と称し、矢符Ｚに平行な方向をＺ方向と称する。
【００３５】
収納筐体２１は、内方にＸ方向に貫通する収納孔２６が形成され、ディスプレイ１１が嵌合可能に構成される。つまり収納筐体２１は、前記収納孔２６によってディスプレイ１１を収納可能に形成される。具体的には、収納筐体２１において、収納孔２６の部分をＸ方向に垂直な仮想平面で切断して見た断面が矩形状に形成され、ディスプレイ１１の幅方向とＹ方向が略平行になるようにディスプレイ１１が配置され収納可能に形成される。ただし収納筐体２１は、このような形状に限定されない。収納筐体２１は、たとえばＸ方向に凹む箱形の筐体であってもよく、ディスプレイ１１を収納可能であればよい。以下では、ディスプレイ１１の幅方向を単にＹ方向と呼ぶ場合がある。
【００３６】
収納筐体２１には、案内溝であるガイド溝部２９が形成されている。つまりガイド溝部２９は、収納筐体２１のうち収納孔２６に臨む第１内表面部２７および第２内表面部２８にそれぞれ形成される。収納筐体２１は、前記ガイド溝部２９にガイド部１７を係合させてディスプレイ１１を支持可能に構成される。第１支持部材の被係合部であるガイド溝部２９は、ガイド部１７が係合可能に形成され、かつガイド部１７が摺動可能に形成される。具体的に説明すると、ガイド部１７は、Ｙ方向にやや凹む溝部であり、第１溝部３０と一対の第２溝部３１とによって形成される。第１溝部３０は、Ｚ方向に直線状に伸びる溝部であり、第１および第２内表面部２７，２８のＺ方向長さの大部分にわたって形成されている。一対の第２溝部３１は、Ｘ方向に直線状に伸びる互いに平行な溝部である。各第２溝部３１のＸ方向一端部は、Ｘ方向外方に開口するように形成される。一対の第２溝部３１のうち一方の第２溝部３１のＸ方向他端部が第１溝部３０のＺ方向一端部に連続的に形成され、他方の第２溝部３１のＸ方向他端部が第１溝部３０のＺ方向他端部に連続的に形成される。
【００３７】
このようにガイド溝部２９を形成することによって、ガイド溝部２９の内方には、略コ字状の溝であるガイド溝３２が形成される。ガイド溝３２は、一端および他端がＸ方向外方に開放するように形成される。このように形成されるガイド溝部２９において、第１溝部３０と第２溝部３１とが連続的に形成される外径部分に、一対のコーナー部３３が形成される。この一対のコーナー部３３は、丸面取りされており、一対のコーナー部３３に一対のガイド部１７が係合するように形成される。つまり一対のコーナー部３３のうち一方に、一対のガイド部１７のうちの一方が係合する場合、他方のコーナー部３３に他方のガイド部１７が係合するように形成される。具体的には、一対のコーナー部３３が互いに離隔される距離が一対のガイド部１７が互いに離隔される距離と略同一に形成される。これによってガイド部１７は、ガイド溝部２９の一端または他端から離脱することができる。このようにして形成されるガイド溝部２９は、一対のガイド部１７が係合可能に形成され、前記ガイド部１７がガイド溝３２に沿って摺動可能に形成される。このように収納筐体２１は、ディスプレイ１１を収納可能に構成され、ガイド溝部２９にガイド部１７を係合させてディスプレイ１１を支持可能に構成される。収納筐体２１は、たとえばアクリルニトリルブタジエンスチレン樹脂（ＡＢＳ樹脂）によって形成される。
【００３８】
さらにディスプレイ１１は、一対のディスプレイ支持体２５によってガイド部１７が係合され支持される。一対のディスプレイ支持体２５は、一方のディスプレイ支持体２５ａがディスプレイ１１の高さ方向一端部に形成される２つのガイド部１７である第１および第３ガイド部１７ａ，１７ｃを係合支持可能に設けられる。また一対のディスプレイ支持体２５は、他方のディスプレイ支持体２５ｂがディスプレイ１１の高さ方向他端部に形成される２つのガイド部１７である第２および第４ガイド部１７ｂ，１７ｄを係合支持可能に設けられる。このように設けられる一対のディスプレイ支持体２５は、一方および他方のディスプレイ支持体２５ａ，２５ｂが互いにＺ方向に離隔して対向するように配設される。一方および他方のディスプレイ支持体２５ａ，２５ｂは、同一の構成であり、以下ではディスプレイ支持体２５と称して一方および他方のディスプレイ支持体２５ａ，２５ｂの構成についての説明とし、個々についての説明を省略する。
【００３９】
第２支持部材であるディスプレイ支持体２５には、スライド支持体３４と基台２４とが含まれる。さらにスライド支持体３４には、第１スライド部材３４ａと第２スライド部材３４ｂと第３スライド部材３４ｃと第４スライド部材３４ｄとが含まれる。スライド支持体３４は、第１スライド部材３４ａと第２スライド部材３４ｂとがＹ方向に並設され、第３スライド部材３４ｃと第４スライド部材３４ｄとが並設されて構成される。並設される第１および第２スライド部材３４ａ，３４ｂと、並設される第３および第４スライド部材３４ｃ，３４ｄとは、Ｘ方向に互いに離隔されて基台２４に配設される。
【００４０】
第１スライド部材３４ａは、Ｘ方向に伸びる略短冊状の板状体である。第１スライド部材３４ａは、その厚み方向がＹ方向に略平行に配置され、その幅方向がＸ方向に略平行に配置されるように、ガイド部１７を係合可能に構成される。以下では、第１スライド部材３４ａの厚み方向を単に「Ｙ方向」と、その幅方向を単に「Ｚ方向」と称する場合がある。このように構成される第１スライド部材３４ａには、第１スライド部材本体３５ａと第１被係合部３６ａと第１ラック部３７ａとが含まれる。第１スライド部材本体３５ａは、Ｘ方向に伸びる略短冊状の板状体に形成される。第１スライド部材本体３５ａには、第一対向表面部３８ａのＺ方向一端部近傍に第１案内孔部３９ａが形成される。第一対向表面部３８ａとは、Ｙ方向に垂直な一表面部と同義である。第１案内孔部３９ａは、Ｙ方向に貫通する孔を形成し、前記孔が第１スライド部材本体３５ａのＸ方向一端付近から他端付近にわたってＸ方向と略平行な直線状となるように形成される。前記略平行は、平行を含むものとする。第１案内孔部３９ａのＸ方向一端および他端は、略半円状に形成される。
【００４１】
さらに第一対向表面部３８ａには、Ｙ方向に突出する第１ばね掛止軸４０ａが形成される。第１ばね掛止軸４０ａは、略円柱状に形成され、引張コイルばねのフックを掛止可能に構成される。第１ばね掛止軸４０ａは、第１スライド部材本体３５ａのＸ方向他端とＸ方向中央との間に形成される。具体的には、第１ばね掛止軸４０ａは、Ｘ方向他端およびＸ方向中央から略等距離の位置に形成される。ただし第１ばね掛止軸４０ａは、このような位置に形成されるものに限定されない。
【００４２】
第１スライド部材本体３５ａのＸ方向一端部には、第１被係合部３６ａが形成される。第１被係合部３６ａは、第１スライド部材本体３５ａの一端部と段差なく連続的かつ一体的に形成される。第１被係合部３６ａは、Ｙ方向に垂直な仮想平面で切断して見た断面が第１切欠き部４１ａを含む略半円板状に形成される。第１切欠き部４１は、ガイド部１７を係合可能に構成される。具体的には、第１切欠き部１７は、第１係合部３６ａの外周面部の一部分を第１切欠き方向に切欠き形成することによって形成される。第１切欠き方向とは、第１スライド部材本体３５ａのＺ方向他端から一端に向かう方向と同義である。第１切欠き部４１ａは、第１一側斜面部４２ａと第１他側斜面部４３ａと第１部分球面部４４ａとによって略Ｕ字形状に形成される。第１一側斜面部４２ａは、Ｙ軸まわりに一方に傾斜するように形成され、第２他側斜面部４３ａは、Ｙ軸まわりに他方に傾斜するように形成される。第１一側斜面部４２ａおよび第１他側斜面部４３ａは、第１切欠き方向に進むにつれて切欠きの幅が収縮するように形成される。また第１一側斜面部４２ａおよび第１他側斜面部４３ａの一端部には、第１部分球面部４４ａが連続的に形成される。第１部分球面部４４ａは、円弧状に形成され、その一端部が第１一側斜面部４２ａに、その他端部が第１他側斜面部４３ａに連続的に形成される。第１部分球面部４４ａは、その半径がガイド部１７の半径と略同一またはそれ以上となるように形成され、ガイド部１７を係合支持可能に形成される。このように第１切欠き部４１ａが第１部分球面部４４ａから開口部に向かって切欠き幅が拡大し、ガイド部１７を係合可能に構成される。第１被係合部３６ａは、この第１切欠き部４１ａによってガイド部１７を係合支持可能に構成される。ただし第１被係合部４１ａは、第１部分球面部４４ａから開口部に向かって切欠き幅が拡大するものに限定されず、切欠き幅が一定であってもよい。
【００４３】
また第１スライド部材本体３５ａの第１ラック形成表面部４５ａには、第１ラック部３７ａがＺ方向に突出するように第１スライド部材本体３５ａに連続的かつ一体的に設けられる。第１ラック形成表面部４５ａとは、第１スライド部材本体３５ａのＺ方向に垂直な表面部であって他端側の表面部である。第１ラック部３７ａは、いわゆるラックギヤであり、そのＸ方向一端部が傾斜して形成される。また第１ラック部３７ａは、そのＹ方向に垂直な両表面部が第１スライド部材本体３５ａのＹ方向両表面部と面一状に形成され、そのＸ方向他端部が第１スライド部材本体３５ａの他端部と面一状に形成される。
【００４４】
第１ラック部３７ａは、本実施の形態では、第１ラック形成表面部４５ａのＸ方向他端部から中央部近傍にわたって形成され、駆動源に含まれる後述するピニオンギヤ４６と噛合い可能に構成される。このように第１スライド部材３４ａは、第１被係合部によってガイド部１７を係合可能に構成され、第１ラック部３７ａによってピニオンギヤ４６と噛合い可能に構成される。第１スライド部材３４ａは、たとえばプレス加工およびバレル加工によって形成される。ただし第１スライド部材３４ａの形成は、プレス加工およびバレル加工だけに限定されるものではない。第１スライド部材３４ａを形成する際、たとえばバレル加工を省略してもよく、機械加工などの方法を用いてもよい。  第２スライド部材３４ｂは、Ｘ方向に伸びる略短冊状の板状体であり、Ｘ方向の長さが第１スライド部材３４ａのそれと略同一に形成される。第２スライド部材３４ｂは、第１スライド部材３４ａに厚み方向に並設される。第２スライド部材３４ｂは、その厚み方向がＹ方向に略平行に配置され、その幅方向がＸ方向に略平行に配置されるように、ガイド溝部１７に係合可能に構成される。以下では、第２スライド部材３４ｂの厚み方向を単に「Ｙ方向」と、その幅方向を単に「Ｚ方向」と称する場合がある。
【００４５】
第２スライド部材３４ｂのＸ方向一端部には、第２切欠き部４１ｂを有する第２被係合部３６ｂが形成される。第２被係合部３６ｂは、ガイド部１７と係合可能に構成されている。第２スライド部材３４ｂの前記Ｘ方向一端部において、第２スライド部材３４ｂのＺ方向略中間部を、第２切欠き方向に切欠き形成して第２切欠き部４１ｂが形成されて成る。第２切欠き方向とは、第２スライド部材３４ｂのＸ方向一端から他端に向かう方向である。第２切欠き部４１ｂは、第２一側斜面部４２ｂと第２他側斜面部４３ｂと第２部分球面部４４ｂとによって、Ｙ方向から見て略Ｕ字形状に形成される。
【００４６】
第２一側斜面部４２ｂは、Ｙ軸まわりに一方に傾斜するように、換言すれば、Ｘ方向一端から他端に向かうに従ってＺ方向一方に次第に傾斜するように形成されている。第２他側斜面部４３ｂは、Ｙ軸まわりに他方に傾斜するように、換言すれば、Ｘ方向一端から他端に向かうに従ってＺ方向他方に次第に傾斜するように形成される。第２一側斜面部４２ｂおよび第２他側斜面部４３ｂは、第２切欠き方向に進むにつれて切欠きの幅が縮小するように形成される。第２一側斜面部４２ｂおよび第２他側斜面部４３ｂの一端部には、第２部分球面部４４ｂが連続的に形成される。第２部分球面部４４ｂは、円弧状に形成され、その一端部が第２一側斜面部４２ｂに、その他端部が第２他側斜面部４３ｂに連続的に形成される。第２部分球面部４４ｂは、その半径がガイド部１７の半径と略同一またはそれ以上となるように形成される。ただし第２被係合部３６ｂは、第２部分球面部４４ｂから開口部に向かって切欠き幅が拡大する切欠き幅が変化するものに限定されず、切欠き幅が一定であってもよい。
【００４７】
このように形成される第２被係合部３６ｂは、第１切欠き部４１ａに支持されるガイド部１７と係合することができる。前記ガイド部１７に第２被係合部３６ｂが係合すると、前記ガイド部１７を第２切欠き部４１ｂによって覆って離脱阻止するように構成される。換言すると、第２被係合部３６ｂは、第１被係合部３６ａとともにガイド部１７が摺動するとともに回動可能な軸受け部４７を構成する。前記軸受け部４７は、ガイド部１７が貫通して嵌合するように形成される。ガイド部１７がこのように軸受け部４７に嵌合されるので、軸キャップ部２０のフランジ部は、軸受け部４７から離脱しないように、軸受け部４７の内径より大径に形成される。
【００４８】
第２スライド部材３４ｂには、第２非対向表面部４８ｂのＺ方向一端部近傍に第２案内孔部３９ｂが形成される。第２非対向表面部４８ｂとは、第１対向表面部３８ａに対向する第２対向表面部４９ｂとＹ方向反対側の表面部と同義である。第２案内孔部３９ｂは、Ｙ方向に貫通する孔を形成し、前記孔が第２スライド部材３４ｂのＸ方向一端付近から他端付近にわたってＸ方向に略平行な直線状になるように形成される。第２案内孔部３９ｂのうちＸ方向一端および他端は、略半円状に形成される。この第２案内孔部３９ｂは、第１案内孔部３９ａと並設される状態で、大部分が第１案内孔部３９ａと略面一状となるように形成される。具体的には、第２案内孔部３９ｂは、そのＺ方向に垂直な表面部が第１案内孔部３９ｂのＺ方向に垂直な表面部と面一状になるように形成される。このように形成される第２案内孔部３９ｂは、第１案内孔部３９ａよりＸ方向に長く形成される。
【００４９】
第２非対向表面部４８ｂのＺ方向他端部には、第２ばね掛止軸４０ｂと掛止軸案内孔部５０とが形成される。第２ばね掛止軸４０ｂは、Ｘ方向他端部近傍にＹ方向にやや突出するように設けられる。第２ばね掛止軸４０ｂは、略円柱状に形成され、引張コイルばねのフックを掛止可能に構成される。掛止軸案内孔部５０は、その孔がＹ方向に貫通し、前記孔が第２ばね掛止軸４０ｂの近傍からＸ方向一端に向かって第２案内孔部３９ｂに略平行であって、かつ直線状に形成される。掛止軸案内孔部５０は、第１ばね掛止軸４０ａが第２非対向表面部４８ｂからＹ方向に突出するように挿通し、この状態で第１ばね掛止軸４０ａがＸ方向に摺動可能に形成される。この第１ばね掛止軸４０ａには、引張ばね部材５１の一端部が掛止される。引張ばね部材５１の他端部は、第２ばね掛止軸４０ｂに掛止される。この引張ばね部材５０は、第２係合部にガイド部１７が非係合状態で、引張ばね部材が第１スライド部材３４ａに矢符Ｘと反対方向に弾性回復力を付勢するように構成される。引張ばね部材５０は、第１および第２スライド部材３４ａ，３４ｂのＸ方向他端が面一状に配置される状態で、すなわち第１および第２スライド部材３４ａ，３４ｂがともにガイド部１７に係合する状態で、弾性変位が略ないように構成される。
【００５０】
さらに第２スライド部材３４の第２ラック形成表面部４５ｂには、第２ラック部３７ｂが形成される。第２ラック形成表面部４５ｂとは、第２スライド部材３４ｂのＺ方向に垂直なＺ方向他端側の表面部である。第２ラック部３７ｂは、いわゆるラックギヤであり、第１ラック部３７ａに噛合い可能なピニオンギヤ４６が常時噛合うように構成される。つまり第２ラック部３７ｂは、第１ラック部３７ａとともにピニオンギヤ４６と噛合い可能に構成されるうえ、第１ラック部がピニオンギヤ４６が非噛合い状態であっても、前記ピニオンギヤ４６に噛合うように構成される。本実施の形態では、第２ラック部３７ｂは、第２ラック形成表面部４５ｂのＸ方向他端部からＸ方向約３／５までの領域において形成される。少なくとも第１および第２スライド部材３４ａ，３４ｂが軸受け部４７を構成しない状態で、第１ラック部３７ａは、ピニオンギヤ４６と非噛合い状態にあり、第２ラック部３７ａは、ピニオンギヤ４６と噛合うように構成される。第１スライド部材３４ａは、たとえばプレス加工およびバレル加工によって形成される。ただし第１スライド部材３４ａの形成は、プレス加工およびバレル加工だけに限定されるものではない。第１スライド部材３４ａを形成する際、たとえばバレル加工を省略してもよく、機械加工などの方法を用いてもよい。
【００５１】
第３スライド部材３４ｃは、第１スライド部材３４ｂの構成と類似している。したがって第１スライド部材３４ａと異なる点について説明し、同一の構成の名称については、「第１」の名称を「第３」に変更し、その符号については、「ａ」を「ｃ」に変更して付することによって説明を省略する。第３スライド部材３４ｃは、Ｙ方向に垂直な仮想平面に対して第１スライド部材３４ａと面対称となるように形成される。第４スライド部材３４ｄは、第２スライド部材３４ｂの構成と類似している。したがって第２スライド部材３４ｂと異なる点について説明し、同一の構成の名称については、「第２」の名称を「第４」に変更し、その符号については、「ｂ」を「ｄ」に変更して付することによって説明を省略する。第４スライド部材３４ｄは、Ｙ方向に垂直な仮想平面に対して第２スライド部材３４ｂと面対称となるように形成される。第３および第４スライド部材３４ｃ，３４ｄは、プレス加工およびバレル加工によって形成される。これら第１〜第４スライド部材３４ａ，３４ｂ，３４ｃ，３４ｄに形成される第１被係合部３６ａ、第２被係合部３６ｂ、第３被係合部３６および第４被係合部３６ｄによって第２支持部材の被係合部が構成される。
【００５２】
このようにして構成される第１〜第４スライド部材３４ａ，３４ｂ，３４ｃ，３４ｄは、基台２４に配設される。基台２４には、Ｘ方向に伸びる板状部材５２と第１案内板５３ａと第２案内板５３ｂとが含まれる。板状部材５２は、その幅が収納筐体２１の幅と略同一であり、厚み方向に垂直な仮想平面で切断して見た断面が略矩形状に形成される。板状部材５２は、幅方向がＹ方向と略平行となり、厚み方向がＺ方向に略平行となるように配置される。以下では、板状部材５２の幅方向を単に「Ｙ方向」と、板状部材５２の厚み方向を単に「Ｚ方向」と呼ぶ場合がある。
【００５３】
板状部材５２のＹ方向一端部には、Ｚ方向に突出する第１案内板５３ａが形成され、他端部には、Ｚ方向に突出する第２案内板５３ｂが設けられる。第１案内板５３ａは、Ｘ方向に伸びる短冊状に形成される板状体である。第１案内板５３ａには、第２案内板５３ｂに対向する表面部にその厚み方向、すなわちＹ方向に突出する一対の第１スライド案内軸５４ａが形成される。一対の第１スライド案内軸５４ａは、略円柱状に形成され、一方が第１案内板５３ａのＸ方向一端部に設けられ、他方が一方の第１スライド案内軸５４ａに対してＸ方向に離隔して設けられる。一対の第１スライド案内軸５４ａは、第１および第２案内孔部３９ａ，３９ｂを順次挿通しかつ前記各孔部３９ａ，３９ｂをＸ方向に摺動可能に構成される。換言すると、一対の第１スライド案内軸５４ｂは、第１および第２案内孔部３９ａ，３９ｂを挿通して支持し、第１および第２スライド部材３４ａ，３４ｂがＸ方向に往復運動可能に構成される。また第１スライド案内軸５４ａは、第１および第２案内孔部３９ａ，３９ｂを係止して、第１および第２スライド部材３４ａ，３４ｂのスライドを阻止可能に構成される。
【００５４】
第２案内板５３ｂは、Ｘ方向に伸びる短冊状に形成される板状体である。第２案内板５３ｂには、第１案内板に対向する表面部にその厚み方向、すなわちＹ方向に突出する一対の第２スライド案内軸５４ｂが形成される。一対の第２スライド案内軸５４ｂは、略円柱状に形成され、一方が第２案内板５３ｂのＸ方向一端部に設けられ、他方が一方の第２スライド案内軸５４ｂに対してＸ方向に離隔して設けられる。一対の第２スライド案内軸５４ｂは、第３および第４案内孔部３９ｃ，３９ｄを順次挿通しかつ前記各孔部３９ｃ，３９ｄをＸ方向に摺動可能に構成される。換言すると、一対の第２スライド案内軸５４ｂは、第３および第４案内孔部３９ｃ，３９ｄを挿通して支持し、第３および第２スライド部材３４ｃ，３４ｄがＸ方向に往復運動可能に構成される。また第２スライド案内軸５４ｂは、第３および第４案内孔部３９ｃ，３９ｄを係止して、第３および第４スライド部材３４ｃ，３４ｄのスライドを阻止可能に構成される。
【００５５】
このように形成される基台２４は、板状部材５２と第１および第２案内板５３ａ，５３ｂが曲げ加工によって一体的に形成され、Ｘ方向に垂直な仮想平面で切断して見た断面が、略コ字状に形成される。このような構成を有する基台２４は、第１スライド案内軸５４ａによって第１および第２スライド部材３９ａ，３９ｂを挿通支持し、第２スライド案内軸５４ｂによって第３および第４スライド部材３９ｃ，３９ｂを挿通支持するように構成される。
【００５６】
駆動源１３には、駆動手段５５とウォーム５６とウォームホイール５７と平歯車５８と連結軸５９と２つのピニオンギヤ４６とが含まれる。駆動源１３は、駆動手段５５によってウォーム５６およびウォームホイール５７を介して２つのピニオンギヤ４６を回動駆動可能に構成される。駆動手段５５は、ウォーム５６を回動駆動可能に構成される。本実施の形態では、駆動手段５５は、直流モータ（略称：ＤＣモータ）によって構成され、その出力軸の先端部にウォーム５６が出力軸周りに回動駆動可能に設けられる。ウォーム５６には、これに常時噛合うウォームホイール５７が設けられる。ウォームホイール５７は、その中心軸周りに回動可能に設けられる。さらにウォームホイール５７には、これに常時噛合う平歯車５８が設けられる。平歯車５８には、その略中心軸を貫通するように、連結軸５９が設けられる。連結軸５９は、Ｙ方向に伸びる略円柱状の軸であり、その中心軸周りに平歯車５８と一体的に回動するように構成される。また連結軸５９には、その一端部および他端部に１つずつピニオンギヤ４６が設けられる。このように連結軸５９によって連結される２つのピニオンギヤ４６は、連結軸５９と一体的に回動するように構成される。これによって２つのピニオンギヤ４６は、一体的に回動可能に構成される。この２つのピニオンギヤ４６は、一方が第１および第２ラック部３７ａ，３７ｂと噛合うように構成され、他方が第３および第４ラック部３７ｃ，３７ｄと噛合うように構成される。このように駆動源１３は、駆動手段５５によって２つのピニオンギヤ４６を一体的に回動可能に構成される。このように構成されるウォーム５６、ウォームホイール５７、平歯車５８、連結軸５９およびピニオンギヤ４６は、第１〜第４ラック部３７ａ，３７ｂ，３７ｃ，３７ｄとともにギヤ機構６０を構成し、第１〜第４スライド部材３４ａ，３４ｂ，３４ｃ，３４ｄをＸ方向にスライド駆動可能に構成される。
【００５７】
図９は、ガイド溝部２９、第１被係合部３６ａ、第２被係合部３６ｂ、第３被係合部３６ｃおよび第４被係合部３６ｄとガイド部１７とが係合する状態を示す分解斜視図である。図１０は、第１および第２スライド部材３４ａ，３４ｂとピニオンギヤ４６とを含む領域Ｘ２を拡大して矢符Ｙと反対の方向へ見た側面図である。図１１は、第１および第２スライド部材３４ａ，３４ｂと引張ばね部材５１とを含む領域Ｘ３を拡大して矢符Ｙ方向へ見た側面図である。図１２は、第１被係合部３６ａと第２被係合部３６ｂを含む領域Ｘ１を拡大して示す拡大断面図である。図１〜８を参照して説明する。
【００５８】
ディスプレイ１１は、図９に示すように、一対のガイド部１７をガイド溝部２９に係合させて収納筐体２１の内方に配置される。このとき、ディスプレイ１１は、表示部１４が図１に示す矢符Ｘに示す方向に臨むように配置される。また一対のガイド部１７は、それぞれガイド溝部２９の一対のコーナー部３３に配置される。このようにして４つのガイド部１７を、第１内表面部２７および第２内表面部２８に形成されるガイド溝部２９に係合させて、ディスプレイ１１を収納筐体２１によって支持する。以下では、４つのガイド部１７が対応するガイド溝部２９のコーナー部３３に係合するディスプレイ１１の位置を所定位置と称する。換言すると、ディスプレイ１１の高さ方向がＺ方向と略平行になるディスプレイ１１の位置を所定位置とする。
【００５９】
さらに第１ガイド部１７ａには、第１スライド部材３４ａが係合される。第１スライド部材３４ａは、第１切欠き部４１ａが矢符Ｚの方向に開口するように第１被係合部３６ａを第１ガイド部１７ａに係合させて配設される。このとき第１切欠き部４１ａは、ガイド溝部２９に沿って矢符Ｚ方向に開口するように配設される。このように第１スライド部材３４ａを配設すると、第１ガイド部１７ａは、第１係合部３６ａを離脱して、ガイド溝部２９に沿って矢符Ｚ方向に摺動可能に構成される。第１スライド部材３４ａには、第１対向表面部３８ａと第２対向表面部４９ｂとが互いに対向するように第２スライド部材３４ｂが並設される。第２スライド部材３４ｂは、第１ばね掛止軸４０ａが第２非対向表面部４８ｂからＹ方向に突出するように掛止軸案内孔部５０に挿入されて、第１および第２案内孔部３９ａ，３９ｂの大部分、特にＺ方向に垂直な表面部が互いに面一状になるように配設される。このように第２スライド部材３４ｂを配置すると、第２被係合部３６ｂがＸ方向に開口するように配設される。また第２スライド部材３４ｂには、第２ラック部３７ｂに常時噛合うようにピニオンギヤ４６が配設される。第２ラック部３７ｂに噛合うピニオンギヤ４６を、以下では、「第１ピニオンギヤ４６ａ」と呼ぶ場合がある。さらに第１ピニオンギヤ４６ａは、第１ラック部３７ａと噛合い可能に配設される。具体的には、ディスプレイ１１が所定位置にある場合に、少なくとも第１ピニオンギヤ４６ａと第１ラック部３７ａとが非噛合い状態となるように第１ラック部３７ａに第１ピニオンギヤ４６ａを配設する。また第１および第２スライド部材３４ａ，３４ｂには、図１０に示すように第１ばね掛止軸４０ａおよび第２ばね掛止軸４０ｂに引張ばね部材５１が掛止されている。
【００６０】
また第３ガイド部１７ｃには、第３スライド部材３４ｃが係合される。第３スライド部材３４ｃは、第３切欠き部４１ｃが矢符Ｚの方向に開口するように第３被係合部３６ｃを第３ガイド部１７ｃに係合させて配設される。このように第３スライド部材３４ｃを配設すると、第３ガイド部１７ｃは、第３係合部３６ｃを離脱して、ガイド溝部２９に沿って矢符Ｚ方向に摺動可能に構成される。第３スライド部材３４ｃには、第３対向表面部３８ｃと第４対向表面部４９ｄとが互いに対向するように第４スライド部材３４ｄが並設される。第４スライド部材３４ｄは、第３ばね掛止軸４０ｃが第４非対向表面部４８ｄからＹ方向に突出するように掛止軸案内孔部５０に挿入させて、第３および第４案内孔部３９ｃ，３９ｄの大部分、特にＺ方向に垂直な表面部が互いに面一状になるように配設される。このように第３スライド部材３４ｃを配置すると、第４被係合部３６ｄがＸ方向に開口するように配設される。また第４スライド部材３４ｄには、第４ラック部３７ｄに常時噛合うようにピニオンギヤ４６が配設される。第４ラック部３７ｄに噛合うピニオンギヤ４６を、以下では、「第２ピニオンギヤ４６ｂ」と呼ぶ場合がある。さらに第２ピニオンギヤ４６ｂは、第３ラック部３７ｃと噛合い可能に配設される。具体的には、ディスプレイ１１が所定位置にある場合、図１１に示すように、少なくとも第２ピニオンギヤ４６ｂと第３ラック部３７ｃとが非噛合い状態となるように第３ラック部３７ｃに第２ピニオンギヤ４６ｂを配設する。また第３および第４スライド部材３４ｃ，３４ｄには、第３ばね掛止軸４０ｃおよび第４ばね掛止軸４０ｄに引張ばね部材５１が掛止されている。
【００６１】
このように第１〜第４スライド部材３４ａ，３４ｂ，３４ｃ，３４ｄを配設すると、第１および第３スライド部材３４ａ，３４ｃがＹ方向に離隔するとともに互いに略平行に設けられ、第２スライド部材３４ｂが第１スライド部材３４ａに並設され、第４スライド部材３４ｄが第３スライド部材３４ｃに並設される。このようにして配設される第１〜第４スライド部材３４ａ，３４ｂ，３４ｃ，３４ｄは、第１および第２案内孔部３９ａ，３９ｂに第１スライド案内軸５４ａを挿入し、第３および第４案内孔部３９ｃ，３９ｄに第２スライド案内軸５４ｂを挿入して基台２４に設けられる。第１および第２スライド案内軸５４ａ，５４ｂは、第１および第３切欠き部４１ａ，４１ｂが第１溝部３０に沿う状態より矢符Ｘと反対方向に第１および第３スライド部材３４ａ，３４ｃがスライドしないように構成される。具体的には、第１スライド案内軸５４ａを第１案内孔部３９ａのＸ方向一端部に当接させて矢符Ｘと反対方向のスライドを阻止し、第２スライド案内軸５４ｂを第３案内孔部３９ｃのＸ方向一端部に当接させて矢符Ｘと反対方向のスライドを阻止するように第１および第２スライド案内軸５４ａ，５４ｂを配設する。このように配設することによって、第１溝部３０を摺動するガイド部１７が第１および第３被係合部３６ａ，３６ｃに係合不能となることを防止できる。基台２４は、装置の筐体または車両などに固着される。このように基台２４に第１〜第４スライド部材３４ａ，３４ｂ，３４ｃ，３４ｄが設けられ、第１および第３ガイド部１７ａ，１７ｃを係合支持可能な一方のディスプレイ支持体２５ａが構成される。
【００６２】
また第１および第２ピニオンギヤ４６ａ、４６ｂは、平歯車５８が設けられる連結軸５９で連結される。この平歯車５８に噛合いうようにウォームホイール５７が設けられ、さらにこのウォームホイール５７に噛合うウォーム５６を備える駆動手段５５が設けられる。これによって駆動手段５５を駆動させると、第１および第２ピニオンギヤ４６ａ，４６ｂが回動し、基台２４に設けられる第１〜第４スライド部材３４ａ，３４ｂ，３４ｃ，３４ｄがＸ方向にスライド可能に構成される。これによって第２スライド部材３４ｂを第１ピニオンギヤ４６ａによって矢符Ｘの方向にスライドさせると、図１２に示すように、第２スライド部材３４ｂは、第１スライド部材３４ａとともに軸受け部４７を構成する。また第４スライド部材３４ｄを第２ピニオンギヤ４６ｂによって矢符Ｘの方向にスライドさせると、第４スライド部材３４ｄは、第３スライド部材３４ｃとともに軸受け部４７を構成する。これによってスライド支持体３４は、第１および第３ガイド部１７ａ，１７ｃを軸受け部４７で離脱不可能に支持可能に構成される。また第２および第４スライド部材３４ｂ，３４ｄは、第１および第２ピニオンギヤ４６ａ，４６ｂによって互いに連動する。これによって第１および第２スライド部材３４ａ，３４ｂと第３および第４スライド部材３４ｃ，３４ｄとが略同時に軸受け部４７を構成することができる。ここで前記「略同時」は、同時を含むものとする。このように軸受け部４７に支持される第１および第３ガイド部１７ａ，１７ｄは、スライド支持体３４をスライドさせると、ガイド溝部２９沿って摺動し、ガイド溝部２９の開口部から離脱可能に構成される。さらに第１および第３ガイド部１７ａ，１７ｃは、ガイド溝部２９を離脱した後、スライド支持体３４とともにＸ方向にスライド可能に構成される。このように第１および第３ガイド部１７ａ，１７ｄがＸ方向にスライド可能に構成され、ディスプレイ１１が傾動可能に構成される。
【００６３】
同様にして、第２ガイド部１７ｂに第３および第４スライド部材３４ｃ，３４ｄを係合させ、第４ガイド部１７ｄに第１および第２スライド部材３４ａ，３４ｂを係合させて、第２および第４ガイド部１７ｂ，１７ｄを係合支持可能な他方のディスプレイ支持体２５ｂを構成し、この他方のディスプレイ支持体２５ｂにピニオンギヤ４６が噛合うように駆動源１３を設ける。以下では、説明を簡単にするために第１および第３ガイド部１７ａ，１７ｃと係合する一方のディスプレイ支持体２５ａを、単に「一側ディスプレイ支持体２５ａ」と呼び、第２および第４ガイド部１７ｂ，１７ｄと係合する他方のディスプレイ支持体２５ｂを、単に「他側ディスプレイ支持体２５ｂ」と呼ぶ場合がある。さらに一側ディスプレイ支持体２５ａに含まれるスライド支持体３４を「一側スライド支持体３４Ａ」、他側ディスプレイ支持体２５ｂに含まれるスライド支持体３４を「他側スライド支持体３４Ｂ」と呼ぶ場合がある。一側および他側ディスプレイ支持体２５ａ，２５ｂは、互いに対向するように配設され、Ｚ方向に垂直な仮想平面に対して面対称となるように配置される。このようにしてディスプレイ１１の４つのガイド部１７が２つのガイド溝部２９に係合され、一側および他側ディスプレイ支持体２５ａ，２５ｂに前記ガイド部１７を係合させることによってディスプレイ駆動機構１０を構成することができる。
【００６４】
図１３Ａおよび図１３Ｂは、ディスプレイ１１が所定位置から場合の各状態を図１に示す断面線Ｂ−Ｂで切断して見た断面を概略示す図である。図１３Ａ（ａ）は、ディスプレイ１１が所定位置にある状態を図１に示す断面線Ｂ−Ｂで切断して見た断面図である。図１３Ａ（ｂ）は、第１および第３ガイド部３４ａ，３４ｃが軸受け部４７によって支持される状態を図１に示す断面線Ｂ−Ｂで切断して見た断面図である。図１３Ｂ（ｃ）は、第１および第３ガイド部３４ａ，３４ｃが軸受け部４７によって支持されてガイド溝部２９を摺動する状態を断面線Ｂ−Ｂで切断して見た断面図である。図１３（ｄ）は、ディスプレイ１１が傾動する状態を図１に示す断面線Ｂ−Ｂで切断して見た断面図である。以下では、一側スライド支持体２５ａだけがＸ方向にスライドして、Ｙ軸回り一方向にディスプレイ１１を傾動させる場合について説明する。ここでは、「第１スライド部材３４ａ」などのように単にスライド支持体３４の各構成部の名称を称する場合、一側スライド支持体３４Ａの各構成部を示す。
【００６５】
ディスプレイ駆動機構１０は、ディスプレイ１１が所定位置にある場合、図１３Ａ（ａ）に示すように、一側および他側スライド支持体３４Ａ，３４Ｂの第１および第３スライド部材３４ａ，３４ｂが対応するガイド部１７に係合される。また一側および他側スライド支持体３４Ａ，３４Ｂの第２および第４スライド部材３４ｂ，３４ｄは、ガイド部１７と非係合状態でピニオンギヤ４６と噛合い係止される。このとき第１〜第４ばね掛止軸４０ａ，４０ｂ，４０ｃ，４０ｄに掛止される引張ばね部材５１は、引張状態にあり、矢符Ｘと反対側の方向の弾性回復力であるばね力を第１および第３スライド部材１７ａ，１７ｃに付勢する。これによって第１被係合部３６ａは、ガイド溝部２９とともに第１ガイド部１７ａを挟持し、第３被係合部３６ｃは、ガイド溝部２９とともに第３ガイド部１７ｃを挟持する。これによって第１および第３スライド部材３４ａ，３４ｃは、ピニオンギヤ４６に噛合わなくてもがたつくことなくガイド部１７を係合支持することができる。
【００６６】
次に駆動源１３によって第２および第４スライド部材３４ｂ，３４ｄを矢符Ｘの方向にスライドさせる。このように第２スライド部材３４ｂをスライドさせると、図１３Ａ（ｂ）に示すように第１スライド部材３４ａとともに軸受け部４７を構成し、第１ガイド部１７ａが第１被係合部３６ａから離脱することを阻止し、かつ第１ガイド部１７ａを回動可能に支持する。また第４スライド部材３４ｄをスライドさせると、第３スライド部材３４ｃとともに軸受け部４７を構成し、第３ガイド部１７ｃが第３被係合部３６ｃから離脱することを阻止し、かつ第３ガイド部１７ｃを回動可能に支持する。これによって一側スライド支持体３４Ａは、第１および第３ガイド部１７ａ，１７ｃを離脱阻止して支持することができる。また他側スライド支持体３４Ｂの第１および第３スライド部材３４ａ，３４ｂが軸受け部４７を構成しないので、他側スライド支持体３４Ｂから第２および第４ガイド部１７ｂ，１７ｄを離脱させることができる。
【００６７】
一側スライド支持体３４Ａが軸受け部４７を構成する状態で、駆動源１３が第２および第４スライド部材３４ｂ、３４ｄが矢符Ｘの方向にスライドさせると、第１および第３ガイド部１７ａ，１７ｃは、矢符Ｘの方向に押動される。このとき引張ばね部材５１は、弾性変形せず、第１および第３スライド部材３４ａ，３４ｂに弾性回復力を付勢しない。これによって押動される第１および第３ガイド部１７ａ，１７ｃがガイド溝部２９に沿ってＸ方向に摺動し、図１３Ａ（ｃ）に示すように、ディスプレイ１１を傾動させることができる。また第１スライド部材３４ａが第１ガイド部１７ａに係合され、第３スライド部材３４ｃが第３ガイド部１７ｃに係合されるので、第１および第３ガイド部１７ａ，１７ｃが押動されるとともに第１および第３スライド部材３４ａ，３４ｃが押動されＸ方向にスライドする。第１および第３スライド部材３４ａ，３４ｃがＸ方向にスライドすると、第１ラック部３７ａが第１ピニオンギヤ４６ａに噛合い、第３ラック部３７ｃが第２ピニオンギヤ４６ｂが噛合う。このように第１および第２スライド部材３４ａ，３４ｂが第１ピニオンギヤ４６ａに噛合い、第３および第４スライド部材３４ｃ、３４ｄが第２ピニオンギヤ４６ｂに噛合う。これによって駆動手段１３によって第１および第２ピニオンギヤ４６ａ，４６ｂを回動させることによって一側スライド支持体３４Ａを矢符Ｘの方向にスライドさせることができる。
【００６８】
一側スライド支持体３４Ａがさらに矢符Ｘの方向にスライドすると、第１および第３ガイド部１７ａ，１７ｃは、軸受け部４７を回動するとともに矢符Ｘの方向にスライドし、ガイド溝部２９から離脱する。さらに第２および第４ガイド部１７ｂ，１７ｄは、他側スライド支持体３４Ｂから離脱し第１溝部３０を矢符Ｚと反対方向に摺動する。これによってディスプレイ１１は、高さ方向一端部がＸ方向に変位し他端部がＺ方向に変位し、図１３Ｂ（ｄ）に示すように、Ｙ軸回り一方向に傾動する。このようにディスプレイ駆動機構１０は、駆動源１３によって一側スライド支持体３４Ｂをスライドさせて、ディスプレイ１１をＹ軸回り一方向に傾動駆動させることができる。
【００６９】
またディスプレイ駆動機構１０は、ディスプレイ１１を所定位置からＹ軸回り一方向に傾動させる動作を可逆的にすることができる。つまりディスプレイ駆動機構１０は、ディスプレイ１１がＹ軸回り一方向に傾動する状態から所定位置へ戻すことができる。このときのディスプレイ駆動機構１０の動作は、ディスプレイ１１を所定位置からＹ軸回り一方向に傾動させる場合と逆であり、その動作については説明を省略する。
【００７０】
図１４Ａおよび図１４Ｂは、ディスプレイ１１が所定位置から場合の各状態を図１に示す断面線Ｂ−Ｂで切断して見た断面を概略示す図である。図１４Ａ（ａ）は、ディスプレイ１１が所定位置にある状態を図１に示す断面線Ｂ−Ｂで切断して見た断面図である。図１４Ａ（ｂ）は、第２および第４ガイド部１７ｂ、１７ｄが軸受け部４７によって支持される状態を図１に示す断面線Ｂ−Ｂで切断して見た断面図である。図１４Ｂ（ｃ）は、第２および第４ガイド部１７ｂ、１７ｄが軸受け部４７によって支持されてガイド溝部２９を摺動する状態を図１に示す断面線Ｂ−Ｂで切断して見た断面図である。図１４（ｄ）は、ディスプレイ１１が傾動する状態を図１に示す断面線Ｂ−Ｂで切断して見た断面図である。以下では、他側スライド支持体３４ＢだけがＸ方向にスライドして、Ｙ軸回り他方向にディスプレイ１１を傾動させる場合について説明する。ここでは「第１スライド部材３４ａ」などのように単にスライド支持体３４の各構成部の名称を称する場合、他側スライド支持体３４Ｂの各構成部を示す。
【００７１】
ディスプレイ駆動機構１０は、ディスプレイ１１が所定位置にある場合、図１４Ａ（ａ）に示すように、一側および他側スライド支持体３４Ａ，３４Ｂの第１および第３スライド部材３４ａ，３４ｃが対応するガイド部１７に係合される。また一側および他側スライド支持体３４Ａ，３４Ｂの第２および第４スライド部材３４ｂ、３４ｄは、ガイド部１７に非係合状態でピニオンギヤ４６と噛合い係止される。にある。このとき第１〜第４ばね掛止軸４０ａ，４０ｂ，４０ｃ，４０ｄに掛止される引張ばね部材５１は、引張状態にあり、矢符Ｘと反対側の方向の弾性回復力であるばね力を第１および第３スライド部材３４ａ，３４ｃに付勢する。これによって第１被係合部３６ａは、ガイド溝部２９とともに第４ガイド部１７ｄを挟持し、第３被係合部３６ｃは、ガイド溝部２９とともに第２ガイド部１７ｂを挟持する。このように第１および第３スライド部材３４ａ，３４ｃは、ピニオンギヤ４６に噛合わなくてもがたつくことなくガイド部１７を係合支持できる。
【００７２】
次に駆動源１３によって第２および第４スライド部材３４ｂ，３４ｄを矢符Ｘの方向にスライドさせる。このように第２スライド部材３４ｂをスライドさせると、図１４Ａ（ｂ）に示すように第１スライド部材３４ａとともに軸受け部４７を構成し、第４ガイド部１７ｄが第１被係合部３６ａから離脱することを阻止し、かつ第４ガイド部１７ｄを回動可能に支持する。また第４スライド部材３４ｄをスライドさせると、第３スライド部材３４ｃとともに軸受け部４７を構成し、第２ガイド部１７ｂが第３被係合部３６ｃから離脱することを阻止し、かつ第２ガイド部１７ｂを回動可能に支持する。これによって他側スライド支持体３４Ｂは、第２および第４ガイド部１７ｂ，１７ｄを離脱阻止して支持することができる。また一側スライド支持体３４Ａの第１および第３被係合部３６ａ，３６ｂが軸受け部４７を構成しないので、一側スライド支持体３４Ａから第１および第３ガイド部１７ａ，１７ｃを離脱させることができる。
【００７３】
他側スライド支持体３４Ｂが軸受け部４７を構成する状態で、駆動源１３によって第２および第４スライド部材３４ｂ，３４ｃが矢符Ｘの方向にスライドすると、第２および第４ガイド部１７ｂ，１７ｄが矢符Ｘの方向に押動される。これによって押動される第２および第４ガイド部１７ｂ，１７ｃがガイド溝部２９に沿ってＸ方向に摺動し、図１４Ａ（ｃ）に示すように、ディスプレイ１１を傾動させることができる。また第１スライド部材３４ａが第４ガイド部１７ｄに係合され、第３スライド部材３４ｃが第２ガイド部１７ｂに係合されるので、第２および第４ガイド部１７ｂ、１７ｄが押動されるとともに第１および第３スライド部材３４ａ，３４ｃが押動されＸ方向にスライドする。第１および第３スライド部材３４ａ，３４ｃがＸ方向にスライドすると、第１ラック部３７ａと第１ピニオンギヤ４６ａとが噛合い、第３ラック部３７ｃと第２ピニオンギヤ４６ｂとが噛合う。このように第１および第２スライド部材３４ａ，３４ｂが第１ピニオンギヤ４６ａに噛合い、第３および第４スライド部材３４ｃ，３４ｄが第２ピニオンギヤ４６ｂに噛合う。これによって駆動手段１３によって第１および第２ピニオンギヤ４６ａ，４６ｂを回動させることによって他側スライド支持体３４Ｂを矢符Ｘの方向にスライドさせることができる。
【００７４】
他側スライド支持体３４Ｂがさらに矢符Ｘの方向にスライドすると、第２および第４ガイド部１７ｂ，１７ｄは、軸受け部４７を回動するとともに矢符Ｘの方向にスライドし、ガイド溝部２９から離脱する。さらに第１および第３ガイド部１７ａ，１７ｃは、一側スライド支持体３４Ａから離脱し第１溝部３０を矢符Ｚと反対方向に摺動する。これによってディスプレイ１１は、高さ方向他端部がＸ方向に変位し一端部がＺ方向に変位し、図１４Ｂ（ｄ）に示すように、Ｙ軸回り他方向に傾動する。このようにディスプレイ駆動機構１０は、駆動源１３によって他側スライド支持体３４Ｂをスライドさせて、ディスプレイ１１をＹ軸回り他方向に傾動駆動させることができる。
【００７５】
またディスプレイ駆動機構１０は、ディスプレイ１１を所定位置からＹ軸回り他方向に傾動させる動作を可逆的にすることができる。つまりディスプレイ駆動機構１０は、ディスプレイ１１がＹ軸回り他方向に傾動する状態から所定位置へ戻すことができる。このときのディスプレイ駆動機構１０の動作は、ディスプレイ１１を所定位置からＹ軸回り他方向に傾動させる場合と逆であり、その動作については、説明を省略する。
【００７６】
さらにディスプレイ駆動機構１０は、一側および他側スライド支持体３４Ａ，３４Ｂを略同時に矢符Ｘの方向にスライドさせることによってディスプレイ１１を傾斜させることなくＸ方向にスライド駆動させることができる。このようにディスプレイ駆動機構１０は、ディスプレイ１１を傾斜させるだけでなくＸ方向にスライドさせることもできる。
【００７７】
このようにして構成されるディスプレイ駆動機構１０では、ディスプレイ１１を所定位置に対してＹ軸回り一方向および他方向に傾動させることができる。これによってディスプレイ１１は、従来の技術の電子機器駆動機構１に比べて傾動する範囲が大きくなり、選択可能な傾斜角度を増加させることができる。それ故、たとえばディスプレイ１１で太陽光の反射または景色の映りこみが生じて、ディスプレイ１１の視認性が悪化しても、ディスプレイ１１の傾斜角度を調節し視認性を良好にすることができる。具体的には、一側および他側ディスプレイ支持体３４Ａ，３４Ｂを鉛直方向略上下に配設することによって、ディスプレイ１１を前方上り傾斜状および前方下り傾斜状に傾斜可能にする。これによって太陽光の反射または景色の映り込みが生じる場合、ディスプレイ１１を前方下り傾斜状に傾斜させることによって太陽光の反射または景色の映り込みを抑制しディスプレイ１１の表示部１４に表示される画像などの視認性を良好にすることができる。また電子機器傾動駆動機器１と同様に前方上り傾斜状にも傾斜させることができるので、ディスプレイ１１を前方上り傾斜状に傾斜角度を調整することによって従来と同様の視認性も確保できる。
【００７８】
またディスプレイ１１は、車両において表示部１４を含む仮想平面に垂直な方向が前方および後方だけではなく、側方に上り傾斜状および下り傾斜状に傾斜する場合もあり得る。たとえば一側および他側ディスプレイ支持体３４Ａ，３４Ｂを水平方向と略垂直になるように配設することによって、側方上り傾斜状および側方下り傾斜状に傾斜させることを実現することができる。これによって表示部１４に表示される画像などを目視する人に合わせて、ディスプレイ１１を側方に傾斜させて視認性を良くすることができる。たとえば車両において、運転席からディスプレイ１１を目視する場合、ディスプレイ１１を左右方向のいずれかの一方向に傾斜させて視認性を良好にし、助手席からディスプレイ１１を目視する場合、ディスプレイ１１左右方向のうちの他方向に傾斜させて視認性を良好にすることができる。後部座席においても同様に左右方向に傾斜させて視認性を良くすることとができる。
【００７９】
またディスプレイ駆動機構１０には、一対のディスプレイ支持体２５の間に電子機器が設けられることがある。たとえばコンパクトディスク（Compact Disk：略称ＣＤ）およびデジタル多機能ディスク（Digital Versatile Disc；略称：ＤＶＤ）などの光記録媒体を再生可能な図示しない再生装置が設けられる。再生装置は、収納孔２６に臨むように光記録媒体の挿入可能な挿入口を配設される。このような再生装置が設けられるディスプレイ駆動機構１０は、ディスプレイ１１が所定位置にある場合、ディスプレイ１１によって挿入口が隠れる。それ故、ディスプレイ１１を傾動させることによって挿入口を露出させてから挿入口に光記録媒体を挿入する。そのため従来の電子機器駆動装置１のようにディスプレイ１１を一方向にしか傾動できない場合、電子機器駆動装置１および再生装置の配置によって光記録媒体の挿入が困難となることがあり、所期の機能を確保することができない。ディスプレイ駆動機構１０では、一方向に加えて他方向にも傾動駆動可能に構成されているので、一方向にディスプレイ１１を傾動させて光記録媒体の挿入が困難である場合、他方向にディスプレイ１１を傾動させることによって光記録媒体の挿入を容易にすることができる。したがって一方向および他方向にディスプレイ１１を傾動可能に構成することによって、所期の機能を確保することができる。ディスプレイ駆動機構２０の内方に設けられる装置は、再生装置に限定されず、たとえばパーソナルコンピュータなどの電子機器であってもよい。またディスプレイ１１に操作部が配設される場合、ディスプレイ１１を傾動させて、前記操作部を所望位置に配置することができる。したがって前記操作部の操作性を向上させることができ、これによって所期の機能の確保ができる。さらにディスプレイ１１をＸ方向にスライドさせて表示部１４を利用者に近づけることができ、視認性および操作性を向上させることができる。このようにディスプレイ駆動機構１０は、ディスプレイ１１を環境や状況に合わせて様々な方向に傾斜およびスライドさせて、利用者の視認性を良好にすることができる。
【００８０】
ガイド溝２９が略コ字状に形成されるので、ガイド部１７がガイド溝部２９に係合するとともに沿ってＸ方向およびＺ方向に摺動することができる。またガイド溝２９がその一端および他端が開放されているので、ガイド部１７は、前記ガイド溝２９の一端または他端からガイド溝部２９を離脱することができる。このようにガイド部１７がガイド溝部２９を摺動し離脱することができるので、２つの一対のガイド部１７がディスプレイ１１に形成されても、ディスプレイ１１を一方向および他方向に傾動およびスライドさせることができる。またガイド部１７には、軸バネ部材１９が備えられ、ガイド部１７がＹ方向に弾性変形可能に構成されている。これによってガイド部１７は、ガイド溝部１７の形状に応じて弾性変形するとともにガイド溝部２９を摺動することができる。したがってガイド部１７の摺動性を良くすることができる。さらに軸キャップ部材２０とガイド溝部２９とは、互いに摺動性のよい材料によって形成されるので、ガイド部１７の摺動性をさらに良好にすることができる。またこのように弾性変形させることができるので、ガイド部１７およびガイド溝部２９は、高い剛性強度を必要とせず、つまり剛性強度を高めることなく形成することができる。したがってディスプレイ駆動機構１０の生産コストを低減することができる。
【００８１】
ディスプレイ１１が所定位置にある場合、ガイド部１７はガイド溝部２９によって係合支持され、ディスプレイ１１が傾動する状態において、ガイド部１７は、スライド支持体３４およびガイド溝部２９によって係合支持される。このようにガイド部１７は、ガイド溝部２９およびスライド支持体３４の少なくともいずれか一方によって係合支持される。これによってガイド部１７を確実に係合支持することができる、すなわちディスプレイ１１を確実に支持し、ディスプレイ駆動機構１０から脱落することを抑制できる。
【００８２】
このスライド支持体３４は、第１スライド部材３４ａに係合されるガイド部１７を離脱阻止するように第２スライド部材３４ｂに係合させて支持する。したがってガイド部１７を確実に保持することができる。またガイド部１７は、第２スライド部材３４ｂに非係合する状態では、第１スライド部材３４ａから離脱可能に支持される。このように第１および第２スライド部材３４ａ，３４ｂの２つの部材を用いることによって、ガイド部１７を確実に支持される状態とガイド部１７が第１スライド部材３４ａから離脱可能な状態とを切替えることができる。同様に第３スライド部材３４ｃに係合するガイド部１７を離脱阻止するように第４スライド部材３４ｄに係合させて支持し、第４スライド部材３４が非係合状態では、ガイド部１７が第３スライド部材３４ｃから離脱可能に支持される。これによって第３および第４スライド部材３４ｃ，３４ｄの２つの部材を用いることによって、ガイド部１７を確実に支持状態とガイド部１７が第３スライド部材３４から離脱可能な状態とを切替えることができる。このようにスライド支持体３４は、ガイド部１７を確実に支持される状態とガイド部１７が離脱可能な状態とを切替えることができる。このように切替え可能に構成されるので、このような簡単な構成でディスプレイ１１を一方向および他方向に傾動可能なディスプレイ駆動機構１０を構成することができる。これによってディスプレイ駆動機構１０の生産コストを低減することができる。
【００８３】
第１および第３被係合部３６ａ，３６ｂは、切欠き部４１ａ，４１ｃの大部分が第１溝部３０に沿ってＺ方向に開口するようにＵ字状に形成される。したがってガイド溝部２９のコーナー部３３にあるガイド部１７は、第１または第３被係合部から離脱し、第１溝部３０に沿ってＺ方向に摺動することができる。このようにガイド部１７がＺ方向に摺動することができるので、ディスプレイ１１の所定位置からの傾動を実現することができる。これによってガイド部１７が第１溝部３０に沿ってＺ方向に摺動しても、第１および第３スライド部材３４ａ，３４ｃをガイド部１７とともに一体的に可動させる必要がない。それ故、第１および第３スライド部材３４ａ，３４ｂの機構を簡単にすることができ、第１および第３スライド部材３４ａ，３４ｂを可動させるために必要なスペースを小さくすることができる。また第１被係合部３６ａは、第１部分球面部４４ａから開口部に向かってその切欠き幅が広くなるように形成されるので、ガイド溝部２９を摺動するガイド部１７の係合および離脱を容易にすることができる。同様に第３被係合部３６ｃは、第３部分球面部４４ｃから開口部に向かってその切欠き幅が広くなるように形成されるので、ガイド溝部２９を摺動するガイド部１７の係合および離脱を容易にすることができる。また第１および第２スライド案内軸５４ａ，５４ｂによって第１および第３スライド部材３４ａ，３４ｂのスライドを阻止可能に構成されているので、第１溝部３０を摺動するガイド部１７が第１および第３被係合部３６ａ，３６ｃと係合不可能になることを防止している。このようにディスプレイ１１の傾動および収納する際のガイド部１７と第１および第３被係合部３６ａ，３６ｃとの係合および離脱を円滑に行うことができる。換言すると、ディスプレイ１１の円滑な傾動を実現することができる。またこのように形成することによってガイド部１７および第１および第３スライド部材３４ａ，３４ｃの剛性強度を高めることなくディスプレイ駆動機構１０を実現することができる。
【００８４】
第２被係合部３６ｂも、第２部分球面部４４ｂから開口部に向かってその切欠き幅が広くなるように形成されるので、ガイド溝部２９を摺動するガイド部１７の係合および離脱を容易にすることができる。同様に第４被係合部３６ｂは、第４部分球面４４ｄから開口部に向かってその切欠き幅が広くなるように形成されるので、ガイド溝部２９を摺動するガイド部１７の係合および離脱を容易にすることができる。これによって第２および第４被係合部３４ｂ，３４ｄとガイド部１７との係合を円滑に行うことができ、ガイド部１７との離脱も円滑にすることができる。換言すると、ディスプレイ１１の円滑な傾動を実現することができる。またこのように形成することによってガイド部１７および第２および第４スライド部材３４ｂ，３４ｄの剛性強度を高めることなくディスプレイ駆動機構１０を実現することができる。このように第１〜第４スライド部材３４ａ，３４ｂ，３４ｃ，３４ｄの剛性強度を高めることなくディスプレイ駆動機構１０を実現することができるので、生産コストを低減することができる
引張ばね部材５１は、第１および第２ばね掛止軸４０ａ，４０ｂに掛止され、第２スライド部材３４ｂがガイド部１７と非係合状態で、弾性回復力によって第１スライド部材３４ａに引張力を付勢する。これによって第１スライド部材３４ａは、ガイド溝部２９とともに係合されるガイド部１７を挟持する。また同様に第３および第４ばね掛止軸４０ｃ，４０ｄに掛止される引張ばね部材が第３スライド部材３４ｃに引張力を付勢し、第３スライド部材３４ｃとガイド溝部２９とによってガイド部１７を挟持する。このようにしてガイド部１７の挟持することによって、ガイド溝部２９のコーナー部３３にガイド部１７を位置決めし、ディスプレイ１１のばたつきを抑制することができる。これによっても表示部１４に表示される画像などの揺れを抑制することができ、視認性を良くすることができる。またこのように確実にガイド部１７を位置決めすることができるので、第１および第３部分球面部４４ａ，４４ｃをガイド部１７の形状に合わせて形成しなくてもガイド部１７の形状より大きく形成することによって、ガイド部１７を挟持し支持することができる。したがって第１および第４被係合部３６ａ，３６ｃを精密に形成する必要がなく、その形成が容易である。これによって第１および第３スライド部材３４ａ，３４ｂの剛性強度を高めることなくディスプレイ駆動機構１０を実現することができる。
【００８５】
また第１および第２ばね掛止軸４０ａ，４０ｂに掛止される引張ばね部材５１は、ディスプレイ１１を傾動させる際に、第１および第２スライド部材３４ａ，３４ｂが離隔しようとすると、引張力を付勢し第１および第２スライド部材３４ａ，３４ｂが離隔することを抑制する。これによって第１および第２被係合部３６ａ，３６ｂによって構成される軸受け部４７が開口することを抑制できる。同様に第３および第４ばね掛止軸４０ｃ，４０ｄに掛止され引張ばね部材５１は、ディスプレイ１１を傾動させる際に、第３および第４スライド部材３４ｃ，３４ｄが離隔しようとすると引張力を付勢し、第３および第４スライド部材３４ｃ，３４ｄが離隔することを抑制する。これによって第３および第４被係合部３６ｃ，３６ｄによって構成される軸受け部４７が開口することを抑制できる。それ故、軸受け部４７からガイド部１７が離脱することを抑制し、ガイド部１７を軸受け部４７によって確実に支持することができる。換言すると、スライド支持体３４によってガイド部１７を確実に支持することができる。またこのように引張力が付勢され第１および第２スライド部材３４ａ，３４ｂが連動するので、第１スライド部材３４ａが第１ピニオンギヤ４６ａと非噛合い状態であっても確実にガイド部１７をガイド溝部２９のコーナー部３３に移動させることができる。同様に第３および第４スライド部材３４ｃ，３４ｄが連動するので、第３スライド部材３４ｃが第２ピニオンギヤ４６ｂと非噛合い状態であっても確実にガイド部１７をガイド溝部２９のコーナー部３３に移動させることができる。したがってディスプレイ１１を収納する場合に、ディスプレイ１１を確実に所定位置に戻すことができる。
【００８６】
さらに駆動源１３によって容易にディスプレイ１１を傾動駆動することができる。また駆動手段１３の駆動量を調節することによって、スライド支持体３４のスライドする量を調節し、ディスプレイ１１傾斜角度を調節することができる。また第１スライド部材３４ａは、第２スライド部材３４ｂとともに、非噛合い状態でガイド部１７が離脱不可能な軸受け部４７を構成し、噛合う状態で連動し軸受け部４７に嵌合するガイド部１７を離脱不可能に支持してＸ方向にスライドさせることができる。同様に第３および第４スライド部材３４ｃ、３４ｄも軸受け部４７を構成し、ガイド部１７を嵌合支持してＸ方向にスライドさせることができる。このようにガイド部１７をスライドさせることによって、ディスプレイ駆動機構１０は、Ｙ軸回り位置方向および他方向にディスプレイ１１を傾動および収納することができるとともに、前記傾動するディスプレイ１１を確実に支持することができる。
【００８７】
本実施の形態のディスプレイ駆動機構１０では、ガイド溝３２が略コ字状に形成されているけれども、必ずしもこのような形状に限定されない。たとえば第１溝部３０がＺ方向略中央部でＺ方向一方および他方に分断されてもよい。また第１溝部３０がＹ軸回りに傾斜してもよく、ディスプレイ１１が傾動する際のガイド部１７の摺動する軌道に合わせて形成すればよい。また第１〜第４スライド部材３４ａ，３４ｂ，３４ｃ，３４ｄに弾性回復力を付勢するために引張ばね部材５１を用いているけれども、必ずしもこのようなものに限定されない。たとえばゴムまたはショックアブソーバであってもよく、弾性回復力を付勢することができるものであればよい。
【００８８】
また本実施の形態のディスプレイ駆動機構１０では、ディスプレイ支持体２５毎に駆動源１３を設けているけれども、必ずしもこのような構成に限定されない。たとえば駆動手段５５を一つにし、駆動手段５５にウォーム５６を設け、このウォーム５６に噛合うようにウォームホイール５７を設ける。各ディスプレイ支持体２５には、第１および第２ラック部３７ａ，３７ｂに第１ピニオンギヤ４６ａが噛合うように設けられ、第３および第４ラック部３７ｃ，３７ｄに第２ピニオンギヤ４６ｄが噛合うように設けられる。このように設けられる第１および第２ピニオンギヤ４６ａ，４６ｂを連結軸５９で連結し、この連結軸５９に平歯車５８を設ける。このようにして設けられる２つ平歯車５８およびウォームホイール５７と噛合い可能にチェンジギヤ機構を設ける。これによってウォームホイール５７と噛合わせる平歯車５８を換えることができ、一つの駆動手段５５であっても、２つのディスプレイ支持体２５を駆動させることができる。これによってディスプレイ駆動機構１０の構成部品を少なくすることができ、構成を簡単にすることができる。それ故、ディスプレイ駆動機構１０全体の製造コストの低減を図ることが可能である。また各ピニオンギヤ４６毎に駆動手段５５を設けて、合計４つの駆動源１３を設けてもよい。
【００８９】
また本実施の形態のディスプレイ駆動機構１０では、駆動源１３は、駆動手段５５とギヤ機構５８によって構成されているけれども、必ずしもこのようなものに限定されない。たとえば、モータにボールねじ機構を設け、前記ボールねじ機構によってスライド支持体３４を駆動させてもよい。エアシリンダまたは電動シリンダなどを用いてスライド支持体３４を駆動させてもよい。
【００９０】
本実施の形態のディスプレイ駆動機構１０では、ディスプレイ１１を傾動させる際、２つのガイド部１７をＸ方向にスライドさせ、残りのガイド部１７をＺ方向にスライドさせているけれども必ずしもこのような動作によって傾動させるものに限定されない。たとえば一方の２つのガイド部１７、たとえば第１および第３ガイド部１７ａ，１７ｃを支持し、このガイド部１７ａ，１７ｃを軸に他方の２つのガイド部１７、たとえば第２および第４ガイド部１７ｂ，１７ｄを回動可能に構成し、かつ前記他方の２つのガイド部１７ｂ，１７ｄを支持し、この一対のガイド部１７ｂ，１７ｄを軸に前記一方の２つのガイド部１７ａ，１７ｃを回動可能に構成してもよい。このときガイド溝部２９は、第１および第３ガイド部１７ａ，１７ｃが支持されると、このガイド部１７ａ，１７ｃを軸に第２および第４ガイド部１７ｂ，１７ｄが回動でき、また第２および第４ガイド部１７ｂ，１７ｄが支持されると、このガイド部１７ｂ，１７ｄを軸に第１および第３ガイド部１７ａ，１７ｃが回動できるように形成される。具体的には、第２溝部３０が、円弧状に形成することによって実現することができる。このときガイド溝部２９の第１溝部３０は、形成されなくてもよい。
【００９１】
本実施のディスプレイ駆動機構１０では、ガイド部１７がスライド支持体３４に着脱可能に係合されているけれども、必ずしもこのように限定されない。たとえば第１および第２スライド部材３４ａ，３４ｂを一体形成し軸受け部４７を構成させる。この軸受け部４７にガイド部１７を嵌合させる。同様に第３および第４スライド部材３４ｃ，３４ｄを一体形成し軸受け部４７を構成させ、この軸受け部４７にガイド部１７を嵌合させる。このようにスライド支持体３４にガイド部１７を嵌合させて、ガイド部１７がガイド溝部２９を摺動可能に構成することによって、ディスプレイ１１傾動させてもよい。
【００９２】
本実施のディスプレイ駆動機構１０では、２つの一対のガイド部１７が形成されているけれど、必ずしも２つに限定されない。たとえば表示部１４に対して垂直であってガイド部１７が形成される側面部に隣合う各側面部にも２つの一対のガイド部１７形成し、合計４つの一対のガイド部１７を形成してもよい。さらにこれらの一対のガイド部１７についてもディスプレイ支持体２５を設けることによって、さらにＺ軸回り一方向および他方向にもディスプレイ１１を傾斜させることができる。このように様々な方向にディスプレイ１１を傾斜させることができ、従来の電子機器駆動機構１よりさらに環境および条件に合わせてディスプレイ１１の傾斜角度を調整することができるので利便性がよい。つまりディスプレイ駆動機構の汎用性を高めることが可能となる。
【００９３】
本実施の形態では、ディスプレイ１１および収納筐体２１の幅方向をＹ軸方向とし、高さ方向をＺ方向としているけれども必ずしもこのようなものに限定されない。また本実施形態でディスプレイ駆動機構１０が支持する電子機器は、ディスプレイ１１であるけれども、必ずしもこれに限定されない。たとえば表示部１４が形成されないものであってもよい。たとえばディスプレイ駆動機構１０の内方に設けられる電子機器である再生装置の操作パネルであってもよい。この場合には、再生装置を最適な傾斜角度に調整することができるので、記録媒体の挿入および離脱、各種操作スイッチの操作性の向上を図ることが可能となる。
【００９４】
また本実施の形態のディスプレイ駆動機構１０では、第１〜第４スライド部材３４ａ，３４ｂ，３４ｃ，３４ｄがガイド部１７を係合してディスプレイ１１をスライドさせているけれども、第１および第３スライド部材３４に当て部材を設けて、前記当て部材を押動するように構成してもよい。これによって第２および第４スライド部材３４ｂ，３４ｄが当て部材をＸ方向に押動することによって、第１および第３スライド部材３４ａ、３４ｃに係合するガイド部１７をスライドさせ、ディスプレイ１１を傾動させることができる。これによってガイド部１７にかかる負荷を軽減できる。したがってガイド部１７が破損することを抑制できる。
【図面の簡単な説明】
【００９５】
【図１】本発明の実施の一形態であるディスプレイ駆動機構１０を概略示す斜視図である。
【図２】ディスプレイ駆動機構１０を図１に示す断面線Ａ−Ａで切断して見た断面図である。
【図３】ディスプレイ１１を示す斜視図である。
【図４】ディスプレイ１１を幅方向に見た側面図である。
【図５】収納筐体２１を図１に示す断面線Ａ−Ａで切断して見た断面図である。
【図６】第１スライド部材３４ａを厚み方向に見た側面図である。
【図７】第２スライド部材３４ｂを厚み方向に見た側面図である。
【図８】基台２４を示す斜視図である。
【図９】ガイド溝部２９、第１被係合部３６ａ、第２被係合部３６ｂ、第３被係合部３６ｃおよび第４被係合部３６ｄとガイド部１７とが係合する状態を示す分解斜視図である。
【図１０】第１および第２スライド部材３４ａ，３４ｂとピニオンギヤ４６とを含む領域Ｘ２を拡大して矢符Ｙと反対の方向へ見た側面図である。
【図１１】第１および第２スライド部材３４ａ，３４ｂと引張ばね部材５１とを含む領域Ｘ３を拡大して矢符Ｙの方向へ見た側面図である。
【図１２】第１被係合部３６ａと第２被係合部３６ｂを含む領域Ｘ１を拡大して示す拡大断面図である。
【図１３Ａ】ディスプレイ１１が所定位置から場合の各状態を図１に示す断面線Ｂ−Ｂで切断して見た断面を概略示す図である。
【図１３Ｂ】ディスプレイ１１が所定位置から場合の各状態を図１に示す断面線Ｂ−Ｂで切断して見た断面を概略示す図である。
【図１４Ａ】ディスプレイ１１が所定位置から場合の各状態を図１に示す断面線Ｂ−Ｂで切断して見た断面を概略示す図である。
【図１４Ｂ】ディスプレイ１１が所定位置から場合の各状態を図１に示す断面線Ｂ−Ｂで切断して見た断面を概略示す図である。
【図１５】従来の技術の電子機器駆動機構１を示す平面図である。
【符号の説明】
【００９６】
１０  ディスプレイ駆動機構
１１  ディスプレイ
１２  支持体
１３  駆動源
１７  ガイド部
１７ａ  第１ガイド部
１７ｂ  第２ガイド部
１７ｃ  第３ガイド部
１７ｄ  第４ガイド部
２１  収納筐体
２５  ディスプレイ支持体
２９  ガイド溝部
３６ａ  第１被係合部
３６ｂ  第２被係合部
３６ｃ  第３被係合部
３６ｄ  第４被係合部
５８  ギヤ機構
【図１】
2006276769.tif 000003
【図２】
2006276769.tif 000004
【図３】
2006276769.tif 000005
【図４】
2006276769.tif 000006
【図５】
2006276769.tif 000007
【図６】
2006276769.tif 000008
【図７】
2006276769.tif 000009
【図８】
2006276769.tif 000010
【図９】
2006276769.tif 000011
【図１０】
2006276769.tif 000012
【図１１】
2006276769.tif 000013
【図１２】
2006276769.tif 000014
【図１３Ａ】
2006276769.tif 000015
【図１３Ｂ】
2006276769.tif 000016
【図１４Ａ】
2006276769.tif 000017
【図１４Ｂ】
2006276769.tif 000018
【図１５】
2006276769.tif 000019